(57)【特許請求の範囲】
【請求項１】
遊技機本体に一端において回動自在に支持され、前記遊技機本体に対し閉鎖及び開放可能とされた開閉枠と、
前記遊技機本体に設けられ、前記開閉枠の開放可能角度を規定する係止突起と、
前記開閉枠の一端と前記係止突起との間に形成され、前記開閉枠が前記遊技機本体に対し開放された際に遊技球が上方から侵入可能な隙間と、
前記隙間に連通して前記遊技機本体に設けられ、前記隙間内に侵入した前記遊技球を排出する排出口と、
を備えた遊技機。
【請求項２】
前記排出口を下方へ開口させた、ことを特徴とする請求項１記載の遊技機。
【請求項３】
前記排出口は前記遊技球を前記遊技機本体の裏面側へ排出する、ことを特徴とする請求項１または請求項２記載の遊技機。
【発明の詳細な説明】
【０００１】
【発明の属する技術分野】
本発明は、パチンコ機等の遊技機に関する。
【０００２】
【従来の技術】
パチンコ機は、例えば四角形板状の内枠を備えており、内枠の上位部から中位部には遊技盤が固定されている。内枠前面側の左端下位部には、皿枠が左端において回動自在に支持されており、皿枠は内枠に対し開放及び閉鎖可能とされている。皿枠には受皿及び発射ハンドルが設けられており、発射ハンドルが回転されることで、受皿に供給された遊技球が遊技盤へ発射される。
【０００３】
ところで、内枠の前面側下端の左端近傍には係止突起が設けられており、皿枠が内枠に対し開放される際に、係止突起に皿枠の左端縁が当接することで、皿枠の内枠に対する最大開放可能角度が規定される。これにより、皿枠が内枠に対し開放された際に、内枠と皿枠との間に接続された接続コードが無理に引っ張られること等が防止されている。
【０００４】
しかしながら、このようなパチンコ機では、皿枠が内枠に対し所定範囲の角度に開放された際に、皿枠の左端縁と係止突起との間に底面を有する隙間が形成されて、この隙間に上方から遊技球が侵入してしまう可能性がある。
【０００５】
ここで、上記隙間に遊技球が侵入すると、この遊技球を上記隙間の上方から取り出さない限り、皿枠の左端縁と内枠の係止突起との間に遊技球を挟み込んで皿枠を内枠に対し最大開放可能角度まで開放させることができないという問題がある。
【０００６】
さらに、上記隙間に遊技球が侵入したことを気付かないで、皿枠を内枠に対し無理に最大開放可能角度まで開放しようとすると、上記隙間での遊技球の挟み込みによって皿枠や内枠（特に、内枠が皿枠を支持するための支持機構、係止突起及び皿枠の左端縁）が破損する可能性がある。
【０００７】
【発明が解決しようとする課題】
本発明は上記事実を考慮し、開閉枠の一端と遊技機本体との間に遊技球を挟み込むことを防止できる遊技機を得ることが目的である。
【０００８】
【課題を解決するための手段】
請求項１に記載の遊技機は、遊技機本体に一端において回動自在に支持され、前記遊技機本体に対し閉鎖及び開放可能とされた開閉枠と、前記遊技機本体に設けられ、前記開閉枠の開放可能角度を規定する係止突起と、前記開閉枠の一端と前記係止突起との間に形成され、前記開閉枠が前記遊技機本体に対し開放された際に遊技球が上方から侵入可能な隙間と、前記隙間に連通して前記遊技機本体に設けられ、前記隙間内に侵入した前記遊技球を排出する排出口と、を備えている。
【０００９】
請求項１に記載の遊技機では、遊技機本体に開閉枠が一端において回動自在に支持されており、開閉枠は遊技機本体に対し閉鎖及び開放可能とされている。さらに、開閉枠の一端と遊技機本体との間には、開閉枠が遊技機本体に対し開放された際に遊技球が上方から侵入可能な隙間が形成される。
【００１０】
ここで、上記隙間内に遊技球が侵入した際には、遊技球が上記隙間に連通して設けられた排出口から排出される。このため、開閉枠の一端と遊技機本体との間に遊技球を挟み込むことを防止でき、これにより、開閉枠を遊技機本体に対し充分に開放させることができると共に、上記隙間での遊技球の挟み込みによって開閉枠や遊技機本体が破損することを防止できる。
【００１１】
請求項２に記載の遊技機は、請求項１に記載の遊技機において、前記排出口を下方へ開口させた、ことを特徴としている。
【００１２】
請求項２に記載の遊技機では、排出口が下方へ開口されているため、排出口を介してピアノ線等の不正具を遊技機本体の裏面側に侵入させることが困難になり、不正行為を抑制できる。
【００１３】
請求項３に記載の遊技機は、請求項１または請求項２に記載の遊技機において、前記排出口は前記遊技球を前記遊技機本体の裏面側へ排出する、ことを特徴としている。
【００１４】
請求項３に記載の遊技機では、排出口が遊技球を遊技機本体の裏面側へ排出するため、遊技球が遊技機本体の前面側からこぼれ落ちることがなく、遊技球の回収を容易にすることができる。なお、請求項３に記載の遊技機が、例えば所謂島に設置される場合には、遊技球を島に回収できる。
【００１５】
【発明の実施の形態】
図４には、本発明の遊技機が適用されて構成された実施の形態に係るパチンコ機１０が展開された状態の斜視図にて示されている。
【００１６】
本実施の形態に係るパチンコ機１０は、遊技機本体を構成する略四角形筒状の外枠１２を備えており、外枠１２はパチンコ店の所謂島(図示省略)に固定されている。
【００１７】
外枠１２の前面側には、遊技機本体を構成する略四角形板状の内枠１４が配設されている。外枠１２の左端及び内枠１４の左端には内枠用ヒンジ機構（図示省略）が設けられて、内枠１４が左端において外枠１２の左端に回動自在に支持されており、内枠１４は外枠１２の前面側全体に対し開放及び閉鎖可能とされている。外枠１２の右端には一対の係止板１６が設けられると共に、内枠１４の右端には一対の係止爪１８が設けられており、各係止板１６と各係止爪１８とが係合されることで、内枠１４の右端が外枠１２の右端に係止されて、内枠１４が外枠１２に対し閉鎖されている。一方、各係止板１６と各係止爪１８との係合が解除されることで、内枠１４右端と外枠１２右端との係止が解除されて、内枠１４を外枠１２に対し開放可能とされている。また、内枠１４には、上位部から中位部に亘って遊技盤２０が固定されている。
【００１８】
内枠１４の前面側には、上位部から中位部に亘って略四角形板状のガラス枠２２が配設されている。内枠１４の左端及びガラス枠２２の左端にはガラス枠用ヒンジ機構（図示省略）が設けられて、ガラス枠２２が左端において内枠１４の左端に回動自在に支持されており、ガラス枠２２は内枠１４前面側の上位部から中位部に対し開放及び閉鎖可能とされている。内枠１４の右端には一対の係止爪２４が設けられると共に、ガラス枠２２の右端には一対の係止板２６が設けられており、各係止爪２４と各係止板２６とが係合されることで、ガラス枠２２の右端が内枠１４の右端に係止されて、ガラス枠２２が内枠１４に対し閉鎖されている。一方、各係止爪２４と各係止板２６との係合が解除されることで、ガラス枠２２右端と内枠１４右端との係止が解除されて、ガラス枠２２を内枠１４に対し開放可能とされている。また、ガラス枠２２には、遊技盤２０に対向するガラス窓２８が固定されており、ガラス窓２８を介して遊技盤２０を視認可能とされている。
【００１９】
内枠１４の前面側には、下位部において開閉枠としての略四角形板状の皿枠３０が配設されている。内枠１４の左端及び皿枠３０の左端（一端）には皿枠用ヒンジ機構（図示省略）が設けられて、皿枠３０が左端において内枠１４の左端に回動自在に支持されており、皿枠３０は内枠１４前面側の下位部に対し開放及び閉鎖可能とされている。内枠１４の右端には一対の係止爪３２が設けられると共に、皿枠３０の右端には一対の係止部３４が設けられており、各係止爪３２と各係止部３４とが係合されることで、皿枠３０の右端が内枠１４の右端に係止されて、皿枠３０が内枠１４に対し閉鎖されている。一方、各係止爪３２と各係止部３４との係合が解除されることで、皿枠３０右端と内枠１４右端との係止が解除されて、皿枠３０を内枠１４に対し開放可能とされている。
【００２０】
皿枠３０の前面側には、受皿３６（図１参照）が設けられると共に、受皿３６下方の右部において発射ハンドル３８が設けられており、発射ハンドル３８が回転操作されることで、受皿３６に供給された遊技球（図示省略）が遊技盤２０上に発射される。なお、受皿３６には、パチンコ機１０から払い出された遊技球も供給される。
【００２１】
図１及び図２に詳細に示す如く、内枠１４前面側下端の左端近傍には、四角柱状の係止突起４０が設けられており、皿枠３０が内枠１４に対し開放される際には、係止突起４０に皿枠３０の左端縁が当接することで、皿枠３０の内枠１４に対する最大開放可能角度（本実施の形態では略９０°）が規定される。これにより、皿枠３０が内枠１４に対し開放された際に、内枠１４と皿枠３０との間に接続された接続コード（図示省略）が無理に引っ張られること等が防止されている。
【００２２】
ここで、皿枠３０が内枠１４に対し所定範囲の角度に開放された際には、皿枠３０の左端縁と内枠１４の係止突起４０との間に、略三角柱状の隙間４２が形成され、この隙間４２内に上方から遊技球が侵入する可能性がある。
【００２３】
図３に詳細に示す如く、内枠１４には、略半円柱状の排出路４４が水平に形成されており、排出路４４は、隙間４２の下部に連通すると共に、遊技球が通過可能とされている。排出路４４の下面には下方へ開口する排出口４６が形成されており、隙間４２内に侵入した遊技球が、落下して排出路４４を経て排出口４６から内枠１４の裏面側へ排出されることで、上記島に回収される。また、排出路４４の裏面には、排出路４４の成形上の都合で（金型抜き方向が内枠１４の裏面側であるため）、開放孔４８が形成されている。
【００２４】
内枠１４の裏面側左端には長尺板状の補強板５０が固定されており、補強板５０によって内枠１４が補強されている。補強板５０には閉塞板５２が一体に設けられており、閉塞板５２によって上記開放孔４８が閉塞された構成である。
【００２５】
次に、本実施の形態の作用を説明する。
【００２６】
以上の構成のパチンコ機１０では、内枠１４の左端に皿枠３０が左端において回動自在に支持されており、皿枠３０は内枠１４に対し閉鎖及び開放可能とされている。さらに、皿枠３０の左端縁と内枠１４の係止突起４０との間には、皿枠３０が内枠１４に対し所定範囲の角度に開放された際に遊技球が上方から侵入可能な隙間４２が形成される。
【００２７】
ここで、隙間４２内に遊技球が侵入した際には、隙間４２に排出路４４を介して連通する排出口４６から遊技球が排出される。このため、皿枠３０の左端縁と内枠１４の係止突起４０との間に遊技球を挟み込むことを防止でき、これにより、皿枠３０を内枠１４に対し充分に（最大開放可能角度まで）開放させることができると共に、隙間４２での遊技球の挟み込みによって皿枠３０や内枠１４（特に、皿枠用ヒンジ機構、係止突起４０及び皿枠３０の左端縁）が破損することを防止できる。
【００２８】
さらに、排出路４４裏面の開放孔４８が閉塞板５２に閉塞されて、排出路４４が排出口４６により下方のみへ開口されているため、内枠１４と皿枠３０との間から侵入させたピアノ線等の不正具を排出口４６を介して内枠１４の裏面側に侵入させることが困難になり、不正行為を抑制できる。
【００２９】
また、排出口４６が遊技球を内枠１４の裏面側へ排出するため、遊技球を島に回収できて、遊技球がパチンコ機１０（内枠１４）の前面側からこぼれ落ちることがなく、遊技球の回収を容易にすることができる。
【００３０】
なお、本実施の形態では、本発明を皿枠用ヒンジ機構による皿枠開閉構造に適用した構成としたが、本発明を内枠用ヒンジ機構による内枠開閉構造やガラス枠用ヒンジ機構によるガラス枠開閉構造に適用した構成としてもよい。
【００３１】
【発明の効果】
請求項１に記載の遊技機では、開閉枠の一端と遊技機本体との間の隙間内に侵入した遊技球が排出口から排出されるため、開閉枠の一端と遊技機本体との間に遊技球を挟み込むことを防止できる。
【００３２】
請求項２に記載の遊技機では、排出口が下方へ開口されているため、排出口を介して不正具を遊技機本体の裏面側に侵入させることが困難になり、不正行為を抑制できる。
【００３３】
請求項３に記載の遊技機では、排出口が遊技球を遊技機本体の裏面側へ排出するため、遊技球が遊技機本体の前面側からこぼれ落ちることがなく、遊技球の回収を容易にすることができる。
【図面の簡単な説明】
【図１】本発明の実施の形態に係るパチンコ機において皿枠を内枠に対し開放させた状態を詳細に示す平面図である。
【図２】本発明の実施の形態に係るパチンコ機において皿枠を内枠に対し開放させた状態を詳細に示す前面側からの斜視図である。
【図３】本発明の実施の形態に係るパチンコ機における排出路及び補強板等を示す裏面側からの分解斜視図である。
【図４】本発明の実施の形態に係るパチンコ機において内枠、ガラス枠及び皿枠が開放された状態を示す前面側からの斜視図である。
【符号の説明】
１０        パチンコ機（遊技機）
１２        外枠（遊技機本体）
１４        内枠（遊技機本体）
３０        皿枠（開閉枠）
４２        隙間
４６        排出口
【図１】
0004160756.tif 000002
【図２】
0004160756.tif 000003
【図３】
0004160756.tif 000004
【図４】
0004160756.tif 000005